(57)【要約】【課題】耐振作用と制振作用の両機能を発揮し、地震等の振動を効率よく減衰させ、構造物の剛性を高める小型で取り扱いの容易な制振装置および制振構造を提供することにある。【解決手段】それぞれ一辺に直角に折り曲げた取り付け片１１，２１を有する略同形の一対の鋼板１，２を間に粘弾性体３を挟着させて取り付け片が互いに直交するように重ね合わせ、一方の鋼板１の表面に間隔を空けて設けた当接壁７ａに支持部材３１を取り付け、少なくとも１本以上の棒状の板バネ４の一端を当接壁７ａとの間に移動可能なギャップＧを空けて支持部材３１に支持させ、他端を他方の鋼板２の表面に間隔を空けて設けた当接壁２３ａとの間に移動可能なギャップＧを空けて配設させて構成したものである。【選択図】図１３
2007113178.tif 000002
【特許請求の範囲】
【請求項１】
それぞれ一辺に直角に折り曲げた取り付け片を有する略同形の一対の平板と、この一対の平板を前記取り付け片が互いに直交するように重ね合わせた両平板の間に挟着させる粘弾性体と、一方の平板の表面に間隔を空けて設けた当接壁間に取り付けた支持部材とからなる制振装置において、一端を当接壁との間に移動可能なギャップを空けて支持部材に支持させ、他端を他方の平板の表面に間隔を空けて設けた当接壁との間に移動可能なギャップを空けて配設させたバネ部材とを備えた制振装置。
【請求項２】
バネ部材は、その一端を一方の平板の表面に設けた当接壁間に取り付けた支持部材に当接壁との間に移動可能なギャップを空けて支持させ、他端を一方の平板に設けた窓穴から突出した他方の平板の表面に設けた当接壁との間に移動可能なギャップを空けて配設したことを特徴とする請求項１記載の制振装置。
【請求項３】
当接壁と支持部材およびバネ部材を覆うカバーを一方の平板の表面に設けたことを特徴とする請求項１または請求項２記載の制振金具。
【請求項４】
カバーは内部に、バネ部材の端部を支持する支持部材を設けたことを特徴とする請求項３記載の制振装置。
【請求項５】
一対の平板同士を固定する複数本の固定部材を一体的に設けた支持板を備えたことを特徴とする請求項１または請求項２記載の制振装置。
【請求項６】
重ね合わせた一方の平板と支持板との間に粘弾性体をさらに配設したことを特徴とする請求項１記載の制振装置。
【請求項７】
各平板が鋼板からなり、前記バネ部材が棒状の板バネからなることを特徴とする請求項１〜６のいずれか記載の制振装置。
【請求項８】
請求項１〜６のうちのいずれか１項記載の制振装置を用い、この制振装置の一方の平板を構造物の柱に取り付け、他方の平板を構造物の梁または土台に取り付けたことを特徴とする制振構造。
【発明の詳細な説明】
【技術分野】
【０００１】
この発明は、建物等の構造物の振動を低減するために用いる制振装置および制振構造に関する。
【背景技術】
【０００２】
従来の制振金具は、その使用状態を示す図１９、図２０のとおりのものが提案されていた。即ち、この制振金具は略同一形状をした一対の平板状の後板１５１および前板１５２と、この両板の間隙に挟着された粘弾性体１５３とから構成されている。そして、この制振金具は柱１０１の間に多段に横設され相対する横部材１０２の間に設置され、上部横部材１０２ａには平板状の後板１５１をボルト１５４で固定し、下部横部材１０２ｂには平板状の前板１５２をボルト１５４で固定する。
【０００３】
そして、図２１に示すように、構造物に対して水平方向に振幅値Ｖ０の振動が加えられた場合には、後板１５１と前板１５２とが水平方向に沿って相対的に振幅値Ｖ０と一致する振幅作動をするため、このとき生ずる粘弾性体１５３の剪断変形に伴う抵抗力を通じて振動エネルギーを消費し、振動を低減せしめている。
【０００４】
しかし、後板１５１と前板１５２の振幅作動量は、加えられた振動の振幅幅Ｖ０と同じ値であって、粘弾性体１５３の抵抗力はこの振幅作動量に対して一義的に定まるため、最大許容振幅値以外の振幅幅に対しては十分な抵抗力を得ることができないという課題があった。
【０００５】
そこで、上記構成の制振金具を２個以上設置して力学的特性の異なる粘弾性体１５３を２種類以上用い、横部材１０２に対する制振金具の後板１５１と前板１５２の取り付け距離をＬ、上下横部材の距離をｈとしたとき、両者の比である変換係数βを粘弾性体１５３の力学的特性に応じて選定するものが提案されている（例えば特許文献１参照）。
【０００６】
このような構成とすることにより、種々の振幅幅に対しても大きな抵抗力を得ることができ、構造物の振動を効率よく低減することができる。
【０００７】
【特許文献１】特許第２６１０２４３号公報（第３欄第１５行目〜第３６行目および図１８〜図２０）。
【発明の開示】
【発明が解決しようとする課題】
【０００８】
しかしながら、従来の制振金具を２個以上設置する制振構造は、形状が大型化し、コストアップとなる。また、  構造物の剛性を高めるものとして耐振金具が有り、又地震等の振動を減衰させるものとして制振・免振工法があるが、この二つは目的が異なり、未だに耐振作用と制振作用を合わせ持った製品は存在していない。このため、特に木造住宅においては装着の工夫が必要とされ、取扱いが容易ではなかった。
【０００９】
この発明は上記のような従来の課題を解消するためになされたもので、耐振作用と制振作用の両機能を付加させた小型で取り扱いの容易な制振装置および該制振装置を使用した制振構造を安価に得ることを目的とする。
【課題を解決するための手段】
【００１０】
この発明に係る制振装置は、それぞれ一辺に直角に折り曲げた取り付け片を有する略同形の一対の平板と、この一対の平板を取り付け片が互いに直交するように重ね合わせた両平板の間に挟着させる粘弾性体と、一方の平板の表面に間隔を空けて設けた当接壁間に取り付けた支持部材とからなる制振装置において、一端を当接壁との間に移動可能なギャップを空けて支持部材に支持させ、他端を他方の平板の表面に間隔を空けて設けた当接壁との間に移動可能なギャップを空けて配設させたバネ部材とを備えたものである。
【００１１】
この発明に係る制振装置は、バネ部材の一端を一方の平板の表面に設けた当接壁間に取り付けた支持部材に当接壁との間に移動可能なギャップを空けて支持させ、他端を一方の平板に設けた窓穴から突出した他方の平板の表面に設けた当接壁の間に移動可能なギャップを空けて配設したものである。
【００１２】
この発明に係る制振装置は、当接壁と支持部材およびバネ部材を覆うカバーを一方の平板の表面に設けたものである。
【００１３】
この発明に係る制振金具は、カバーの内部にバネ部材の端部を支持する支持部材を設けたものである。
【００１４】
この発明に係る制振金具は、一対の平板同士を固定する複数本の固定部材を一体的に設けた支持板を備えたものである。
【００１５】
この発明に係る制振装置は、重ね合わせた一方の平板と支持板との間に粘弾性体をさらに配設したものである。
【００１６】
この発明にかかる制振装置は、各平板として鋼板を用い、バネ材として棒状の板バネを用いたものである。
【００１７】
この発明に係る制振構造は、請求項１〜６のうちのいずれか記載の制振装置を用い、この制振装置の一方の平板を構造物の柱に取り付け、他方の平板を構造物の梁または土台に取り付けたものである。
【発明の効果】
【００１８】
この発明は、それぞれ一辺に直角に折り曲げた取り付け片を有する略同形の一対の平板を間に粘弾性体を挟着させて取り付け片が互いに直交するように重ね合わせ、一方の平板の表面に間隔を空けて設けた当接壁間に支持部材を取り付け、バネ部材の一端を当接壁との間に移動可能なギャップを空けて支持部材に支持させ、他端を他方の平板の表面に間隔を空けて設けた当接壁との間に移動可能なギャップを空けて配設させて構成したので、地震等による振動エネルギーが小さな間は、バネ部材はギャップ内を移動して当接壁に当接することがないため、何等の変形も生じない。しかし、一対の平板は相対的に移動するため、各平板と面接触している粘弾性体が剪断変形し、この剪断変形に伴う抵抗力よって振動を効率よく吸収し、減衰力を発揮することができる。
【００１９】
一方、粘弾性体の剪断変形だけでは吸収できないような大きな振動エネルギーが加わった場合は、両平板の大きな相対的な移動によって、バネ部材の端部に当接壁が当接し、それぞれの端部が互いに反対方向に押圧されて変形するため、このバネ部材の変形による弾性復元力によって大きな振動エネルギーを効率よく吸収し、適切な減衰力を発揮することができる。
【００２０】
この結果、粘弾性体の剪断変形に伴う抵抗力とバネ部材の弾性復元力との組み合わせにより、地震等により加えられる如何なる振動エネルギーをも円滑に効率よく吸収し、適切な減衰力を発揮することができる。また、簡単な構成で、軽量、小型化されており、取り扱いが容易で、メンテナンスの必要がなく、半永久的に使用できるという効果がある。
【００２１】
この発明は、棒状のバネ部材の一端を一方の平板の表面に設けた当接壁間に取り付けた支持部材に該当接壁との間に移動可能なギャップを空けて支持させ、他端を一方の平板に設けた窓孔から突出した他方の平板の表面の設けた当接壁との間に移動可能なギャップを空けて配設させて構成したので、バネ部材の取り付けが容易であるという効果もある。
【００２２】
この発明は、当接壁と支持部材およびバネ部材を覆うカバーを一方の平板の表面に設けて構成したので、当接壁と支持部材および板バネが外部に露出することがなく、外観体裁が良いという効果もある。
【００２３】
この発明は、カバーの内部に棒状のバネ部材の端部を支持する支持部材を設けて構成したので、予めこの支持部材に棒状のバネ部材の一端を取り付けておくことにより、構成部品の取り扱いがより容易になるという効果もある。
【００２４】
この発明は、一対の平板同士を固定する複数本の固定部材を一体的に設けた支持板を備えて構成したので、使用部品数が少なく、全体の組み付けが容易になるとともに、複数本の固定部材が支持板と一体であるため、組み付け後の外観体裁が良いという効果もある。
【００２５】
この発明に係る制振装置は、重ね合わせた一方の平板と支持板との間に粘弾性体を配設して構成したので、この粘弾性体の剪断変形に伴う抵抗力が他の粘弾性体の剪断変形に伴う抵抗力およびバネ部材の弾性復元力とともに作用して、地震、交通機関、風等による振動エネルギーを、より効率よく吸収し、より適切な減衰力を発揮することができるという効果もある。
【００２６】
この発明に係る制振構造は、請求項１〜６のうちのいずれか記載の制振装置を用い、この制振装置の一方の平板を構造物の柱に取り付け、他方の平板を構造物の梁または土台に取り付けた構造としたので、耐振装置としての機能を発揮して、構造物としての木造住宅の剛性を高める効果もある。
【発明を実施するための最良の形態】
【００２７】
以下、この発明の実施の形態を図面に基づいて詳細に説明する。
【００２８】
図１は、この発明の実施の形態を示す制振装置の分解斜視図、図２はカバーを取り付ける前の組み立て状態を示す制振装置の平面図、図３はその正面図、図４はカバーを取り付けた組み立て状態を示す制振装置の平面図、図５は組立状態の表面側斜視図、図６は組立状態の裏面側斜視図、図７は図５のＡ−Ａ線に沿う拡大横断面図、図８は一方の鋼板を示す平面図、図９はその左側面図、図１０は他方の鋼板を示す平面図、図１１はその左側面図、図１２は支持板の平面図、図１３〜図１５はそれぞれ棒状の板バネと当接壁との関係を示す平面図と正面図および左側面図、図１６は一方の鋼板の外面に取り付けるカバーの平面図である。
【００２９】
図において、鋼板１，２は略同形の一対の平板からなり、この一対の鋼板１，２の重ね合わせた間に粘弾性体３を配設する。一方の鋼板１は、図８に示すように、一部の角を切除した略四角形をなし、その一辺には直角に折り曲げた取り付け片１１が形成されているとともに、鋼板１の平面部には組立てボルトを通す穴１２が三角形の各頂点に略一致するように形成され、角を切除した近傍には四角な窓孔１３が形成されている。また、この鋼板１の平面部外面には間隔を空けて当接壁７ａが設けられ、この当接壁７ａに支持部材３１が支持されている。
【００３０】
他方の鋼板２は、図１０に示すように、鋼板１と略同形をなし、その一辺に直角に折り曲げた取り付け片２１が形成され、鋼板１と重ね合わせたとき該鋼板１の穴１２に対向する位置にボルト９を通し該ボルト９が自由に動くことができる大きさの穴２２をそれぞれ有するとともに、鋼板１の窓孔１３に嵌合する位置に板バネ４を配設させる複数の当接壁２３ａが設けられている。この当接壁２３ａは板バネ４の端部を移動可能なギャップＧを空けて配設できるようになっている。この場合、窓孔１３に嵌合突出する当接壁２３ａは該窓孔１３内で前後左右に自由に動ける寸法関係になっている。
【００３１】
図示例では、図１３〜図１５に示すように凹溝を列設した基台７、２３を鋼板１，２の表面にそれぞれ形成し、この凹溝の両壁を当接壁７ａ，２３ａとしたものであるが、鋼板１，２の表面に当接壁７ａ，２３ａを直接形成してもよい。この形成の仕方としては、例えば、鋼板１，２とは別部材を該鋼板の表面に間隔を空けて並設し当接壁７ａ，２３ａとする。あるいは、鋼板１、２の一部を並設して切起し、この切起し片を当接壁７ａ，２３ａとする。また、鋼板１，２の取り付け片１１，２１の端部には、図６に示す補強材３２，３３を、それに設けた穴３２ａ，３３ａを取り付け片１１，２１の取り付け穴１１ａ，２１ａに合致させ、この穴に通したリベット等（図示せず）で固定して補強している。なお、図中符号２１ｂは、他の穴より小さく形成され仮止め用の穴である。
【００３２】
棒状（短冊状も含む）の板バネ４の厚みは、基台７の凹溝の幅例えば５ｍｍより薄い例えば４．５ｍｍのもので、この板バネ４の一端を凹溝の両壁に取り付けた支持部材３１に移動可能に支持させると、当接壁７ａ，２３ａとしての凹溝の両壁との間にギャップＧが形成される。一方、板バネ４の他端は窓孔１３から突出した鋼板２の平面部外面に設けられた基台２３の例えば５ｍｍの凹溝内に当接壁２３ａとしての両壁との間に０．５ｍｍのギャップＧが形成されるように配設される。また、鋼板１には支持部材３１および板バネ４を覆う横断面コ字形のカバー５を取り付けるねじ穴６が形成されている。
【００３３】
このカバー５は、図１６に示すように横断面コ字型をなし、開口側両側を外側へ直角に折り曲げて取り付け片５１を形成し、その取り付け片５１には略中央部に取り付けねじ５２の通し穴５３が形成されている。
【００３４】
なお、粘弾性体３は、ブチルゴムを基材とし、複数の樹脂を混入したものである。また、支持板８は、図１２に示すように一枚の平板であって、一対の鋼板１，２同士を固定する複数本の固定部材としてのボルト９を一体的に支持している。なお、図中符号８ａは、メッキ時に必要とされる楕円穴である。
【００３５】
次に、上記各構成要素の組み付け方について説明する。先ず、鋼板１には図１に示すように当接壁７ａを設けて、この当接壁７ａに支持部材３１を取り付ける。また、鋼板２には図２に示すように当接壁２３ａを設ける。そして図６に示すように、鋼板１，２を取り付け片１１，２１が互いに直交するように重ね合わせ、両者間に四角形の粘弾性体３を配設するとともに、支持板８に供えた３本のボルト９を鋼板２の３箇所の穴２２から鋼板１の３箇所の穴１２に通して該支持板８を該鋼板に重ね合わせ、鋼板２と支持板８との間にも粘弾性体３を配設し、ボルト９にナット１０を螺合して全体を一体的に固定する。このように固定することにより、組み付けが容易になるとともに、複数本の固定部材が支持板８と一体であるため、使用部品数が少なく、取り扱いが容易であるとともに外観体裁が良い。
【００３６】
この固定により、鋼板２に設けた当接壁２３ａが鋼板１の窓孔１２から該鋼板１の外面に突出する。そこで、一端を鋼板１の外側に設けた支持部材３１に当接壁７ａとの間に移動可能なギャップＧを設けて支持させた棒状の板バネ４の他端を、窓孔１２から鋼板１の外面に突出した鋼板２側の当接壁２３ａとの間に移動可能なギャップＧを設けて配設させた後、この当接壁７ａ、２３ａと支持部材３１および板バネ４をカバー５で覆い、このカバー５をねじ穴６に螺合したねじ５３で鋼板１に取り付ける。このように構成することにより、板バネおよび取り付け台が外部に露出することがなく、組み付け後の外観体裁が良いという効果がある。
【００３７】
この実施の形態によれば、両鋼板１，２間に粘弾性体３を挟着させ、棒状の板バネ４の一端を一方の鋼板１の当接壁７ａとの間に移動可能なギャップＧを設けて支持させ、他端を他方の鋼板２の当接壁２３ａとの間に移動可能なギャップＧを設けて配設させた構成であるから、この構成の制振装置を構造物に取り付けた状態において、地震等による振動が建造物に加わった場合、その振動が小さな微震動（例えば１／２４０ｒａｄ〜１／６０ｒａｄ）の間は、鋼板１，２の相対的なずれ移動も小さく、板バネ４はギャップ内を移動するだけで当接壁７ａ、２３ａに当接することがないため、何等の外力も加わることがなく、変形も生じない。しかし、一対の鋼板１，２の小さな相対的なずれ移動により、各鋼板１，２と面接触している粘弾性体３が剪断変形し、この剪断変形に伴う抵抗力よって振動を効率よく吸収し、減衰力を発揮することができる。
【００３８】
一方、粘弾性体の変形だけでは吸収できないような大きな振動（例えば１／６０ｒａｄ〜１／１５ｒａｄ）が加わった場合は、両鋼板１，２の大きな相対的なずれ移動によって、棒状の板バネ４の一端が当接壁７ａで押圧され、他端が当接壁２３ａで押圧され、それぞれギャップＧ内を反対方向に移動する。このため、棒状の板バネ４は加えられた押圧力の大きさに応じて変形し、この変形による板バネ４の弾性復元力によって大きな振動も効率よく吸収し、減衰力を発揮することができる。棒状の板バネ４は、１本でもよいが、図示例のように、ｎ本並設すると、ｎ倍の振動を吸収することができる。また、図示例のように、鋼板１と支持板８との間にも粘弾性体３を挟着させると、粘弾性体３の剪断変形に伴う抵抗力のみによる減衰力を高めることができ、地震、交通機関、風等による振動エネルギーを、より効率よく吸収し、減衰力を発揮することができるという効果がある。
【００３９】
この結果、粘弾性体３の剪断変形に伴う抵抗力と板バネ４の弾性復元力の組み合わせにより、地震等により加えられる如何なる振動エネルギーをも、効率よく吸収し、減衰力を発揮することができる。また、簡単な構成で、軽量、小型化されており、取り扱いが容易で、メンテナンスの必要がなく、半永久的に使用できるという効果がある。
【００４０】
図１７および図１８は、上記のようにして組み立てた制振装置を、構造物としての木造住宅の耐久性、耐振性を高めために使用した状態を示す制振構造の平面図および正面図であり、上記制振震構造を構成する一方の鋼板１の取り付け片１１を柱１６に木ねじ４０または釘等で取り付けるとともに、他方の鋼板２の取り付け片２１を梁１７に同様に木ねじ４１等で取り付けたものである。なお、この図１７は、制振装置の使用状態を示した概要図であり、カバー５および該カバーで覆われる板バネ４および該板バネの端部を配設する当接壁７ａ，２３ａは点線で示している。
【００４１】
このように制振装置を構造物に取り付けることにより、柱１６から梁１７に作用する外力によって、柱１６及び梁１７が変位しようとする場合、まず、小さな振動が作用する間は、粘弾性体３の変形によって振動を効率よく吸収し、減衰力を発揮する。そして、大きな振動が作用するようになると、両鋼板１，２の相対的な移動によって、棒状の板バネ４は、その一端に当接壁７ａに当接し、他端に当接壁２３ａに当接し、これ等当接壁から受ける押圧力に応じて変形し、大きな振動も効率よく吸収し、すべての振動エネルギーを効率良く消費するように機能する。この結果、図１７および図１８に示すように、上記実施の形態による制振装置を使用した制振構造により、振動エネルギーによる変位を極めて小さくすることができた。
【００４２】
そして、上記の鋼板１と鋼板２は３本のボルト９により固定されるが、このボルト９は鋼板２に開けられた穴２２内を可動出来るように設計されており、この穴２２の範囲は振動による最大差異による粘弾性体３の剪断変形に対応できるよう設定されている。従って、これにより地震のみならず建物に伝わる交通・風による振動等による振動エネルギーも効率よく、かつ確実に減衰せしめることができる。
【００４３】
以上のように、この実施の形態によれば、柱１６から梁１７に作用する外力が小さいときは制振装置の構成要素である粘弾性体３の剪断変形のみにより、また、その外力が大きいときは制振装置の構成要素である粘弾性体３の剪断変形および板バネ４の弾性復元力により抑える。この結果、すべての振動エネルギーを効率良く消費するように機能するので、地震のみならず建物に伝わる交通・風等による振動エネルギーも円滑に効率よく、かつ確実に減衰せしめることができ、耐振作用と制振作用を発揮することができる。
【００４４】
上記実施の形態によれば、鋼板１の外側に当接壁７ａを設けているが、この当接壁７ａは予めカバー５の内部に設け、この当接壁７ａに支持部材３１を取り付け、この支持部材３１に板バネ４の一端を支持させておいてもよい。この場合は、板バネ４の他端（自由端）を鋼板１の窓穴１２から突出した鋼板２の当接壁２３ａに移動可能なギャップＧを設けて配設させる。これにより、構成部品数が少なくなり、その取り扱いがより容易になるという効果がある。
【００４５】
また、互いに取り付けた鋼板１，２の対向内面に当接壁７ａ、２３ａを設け、その当接壁７ａに設けた支持部材３１に板バネ４の一端を移動可能なギャップＧを設けて支持させ、板バネ４の他端を当接壁２３ａに移動可能なギャップＧを設けて配設してもよい。この構成においても、粘弾性体３の厚みを当接壁７ａ、２３ａの高さ以上にする、つまり、鋼板１，２の対向内面に粘弾性体が面接触するようにすることにより、粘弾性体の剪断変形に伴う抵抗力と板バネの弾性復元力の組み合わせによって、すべての振動エネルギーを効率良くすることができる。
【００４６】
なお、上記実施の形態の制振装置において、鋼板１、２上に複数の突起を形成して、相互の重ね位置を位置決めしている。そして、これら鋼板上の突起が当接しないように粘弾性体３，３にはそれぞれの角部には切り欠き部３ａがそれぞれ形成されている。また、この例では取り付け片１１，２１の厚みを十分とって取り付け強度を増している。
【００４７】
なお、前記各例においては、粘弾性体を挟着するものとして鋼板を用いたが、この発明の制振装置は材質的に鋼板に限定されるものではなく平板であれば良い。同様に、上記各例においては、棒状の板バネについて説明をしたが、要は弾性復元力、剛性能力、減衰能力のいずれかを有する部材であれば良いのでこれに限定されるものではない。
【図面の簡単な説明】
【００４８】
【図１】この発明の実施の形態を示す制振装置の分解斜視図である。
【図２】カバーを取り付ける前の組み立て状態を示す制振装置の平面図である。
【図３】図２制振装置の正面図である。
【図４】カバーを取り付けた組み立て状態を示す制振装置の平面図である。
【図５】組立状態の表面側斜視図である。
【図６】組立状態の裏面側斜視図である。
【図７】図５のＡ−Ａ線に沿う拡大横断面図である。
【図８】一方の鋼板を示す平面図である。
【図９】図８の鋼板の左側面図である。
【図１０】他方の鋼板を示す平面図である。
【図１１】図１０の鋼板の左側面図である。
【図１２】支持板の平面図である。
【図１３】棒状の板バネと当接壁との関係を示す平面図である。
【図１４】図１３の正面図である。
【図１５】図１３の左側面図である。
【図１６】一方の鋼板の外面に取り付けるカバーの平面図である。
【図１７】制振装置の取り付け状態を示す平面図である。
【図１８】図１７の正面図である。
【図１９】従来の制振装置の使用状態図である。
【図２０】図１９のの矢示方向から見た図である
【図２１】図１９の制振装置の使用状態図である。
【符号の説明】
【００４９】
１  一方の鋼板（平板）
２  他方の鋼板（平板）
３  粘弾性体
３ａ  切り欠き部
４  板バネ（バネ部材）
５  カバー
６  ネジ穴
７  基台
７ａ  当接壁
８  支持板
８ａ  楕円穴
９  ボルト（固定部材）
１０  ナット
１１  取り付け片
１２  穴
１３  窓孔
１６  柱
１７  梁
２１  取り付け片
２２  穴
２３  基台
２３ａ  当接壁
２３ｂ  通し穴
３１  支持部材
３２，３３  補強材
３２ａ，３３ａ  穴
４０，４１  木ねじ
５１  取り付け片
５２  ネジ
５３  通し穴
Ｇ  ギャプ
【図１】
2007113178.tif 000003
【図２】
2007113178.tif 000004
【図３】
2007113178.tif 000005
【図４】
2007113178.tif 000006
【図５】
2007113178.tif 000007
【図６】
2007113178.tif 000008
【図７】
2007113178.tif 000009
【図８】
2007113178.tif 000010
【図９】
2007113178.tif 000011
【図１０】
2007113178.tif 000012
【図１１】
2007113178.tif 000013
【図１２】
2007113178.tif 000014
【図１３】
2007113178.tif 000015
【図１４】
2007113178.tif 000016
【図１５】
2007113178.tif 000017
【図１６】
2007113178.tif 000018
【図１７】
2007113178.tif 000019
【図１８】
2007113178.tif 000020
【図１９】
2007113178.tif 000021
【図２０】
2007113178.tif 000022
【図２１】
2007113178.tif 000023